(57)【特許請求の範囲】
【請求項１】
ＬＴＥ  Ｌｉｎｋを備え、ＶｏＬＴＥ、ＰＳＶＴ、Ｎｏｒｍａｌ  ＰＳサービスを、小型セルに接続された端末に提供するＦＡＰデバイスの駆動方法において、
ＬＴＥ  ＦＡＰのサービスが開始する段階（Ｓ１０００）；に続き、
ＬＴＥ  ＦＡＰのコントローラが新規端末の接続ないし他のＦＡＰからのＨａｎｄ  ｉｎによる端末の変動があるか否かをモニタする段階（Ｓ１１００）を実行し、変動がない場合には引き続きモニタする段階（Ｓ１１００）；
前記端末の変動があるか否かをモニタする段階（Ｓ１１００）で変動があった場合、新規端末に対するＶｏＬＴＥ、ＰＳＶＴ、Ｎｏｒｍａｌ  ＰＳのサービス種類を抽出して区分する段階（Ｓ１２００）；を実行し、
次に、前記コントローラは、抽出されたサービス種類をセル内に提供する場合にシステムの負荷量を計算する段階（Ｓ１３００）；を実行し、
前記段階（Ｓ１３００）で計算されたシステムの負荷量と全体システムの負荷量とを比較して全体システムの負荷量を超えるか否かを判断する段階（Ｓ１４００）；を実行し、
前記段階（Ｓ１４００）で計算されたシステムの負荷量が全体システムの負荷量を超えないと判断された場合、前記コントローラはＬＴＥ  ＦＡＰに新規端末を接続してサービスを提供（Ｓ２０００）；し、端末の変動があるか否かをモニタする段階（Ｓ１１００）；を実行し、
前記段階（Ｓ１４００）で計算されたシステムの負荷量が全体システムの負荷量を超えると判断された場合、前記コントローラは前記新規接続する端末のサービスタイプよりも低い優先順位のサービスを受けている端末を検索し（Ｓ１６００）、前記低い優先順位のサービスを受けている端末がある場合、前記低い優先順位のサービスを遮断し（Ｓ１７００）、前記低い優先順位のサービスを受けている端末がない場合、前記新規接続する端末の接続を遮断する（Ｓ１７００）段階を繰り返すものの、
システム負荷率が減少する方向に対してはいつもサービス切替を許容し、
ＶｏＬＴＥ、ＰＳＶＴサービスからＮｏｒｍａｌ  ＰＳに切り替える場合、音声あるいは映像呼終了時点にＲＲＣ  ｃｏｎｎｅｃｔｉｏｎ  ｒｅｌｅａｓｅを実行した後、Ｎｏｒｍａｌ  ＰＳ開始時点に再びＬＴＥ  ＦＡＰに接続されるようにし、
ＶｏＬＴＥからＰＳＶＴに切り替える場合、サービス種類の切替時の予想負荷を計算し、予想負荷が最大負荷よりも大きい場合、Ｎｏｒｍａｌ  ＰＳ端末を１つリリースした後に切り替えを許容し、Ｎｏｒｍａｌ  ＰＳ端末がない場合には切り替えを許可せず、端末がリリースするように駆動されることを特徴とする小型セルの流動的接続制御ＦＡＰデバイスの駆動方法。
【請求項２】
前記サービスの前記優先順位は、ＶｏＬＴＥ、ＰＳＶＴ、Ｎｏｒｍａｌ  ＰＳの順序であることを特徴とする請求項１に記載の小型セルの流動的接続制御ＦＡＰデバイスの駆動方法。
【請求項３】
現在接続された端末がＮｏｒｍａｌ  ＰＳのサービス提供を受けている場合、
Ｅ−ＲＡＢ  ＳｅｔｕｐメッセージとしてＱＣＩ１が伝送されると、現在接続された端末をＶｏＬＴＥに切り替え、
Ｅ−ＲＡＢ  ＳｅｔｕｐメッセージとしてＱＣＩ１とＱＣＩ２が伝送されると、ＰＳＶＴサービスに切り替え、
現在接続された端末がＰＳＶＴサービスの提供を受けている場合、
Ｅ−ＲＡＢ  ＲｅｌｅａｓｅメッセージとしてＱＣＩ２が伝送されると、現在接続された端末をＶｏＬＴＥに切り替え、
Ｅ−ＲＡＢ  ＲｅｌｅａｓｅメッセージとしてＱＣＩ１とＱＣＩ２が伝送されるとＮｏｒｍａｌ  ＰＳサービスに切り替え、
現在接続された端末がＶｏＬＴＥサービスの提供を受けている場合、
Ｅ−ＲＡＢ  ＳｅｔｕｐメッセージとしてＱＣＩ２が伝送されると、現在接続された端末をＰＳＶＴに切り替え、
Ｅ−ＲＡＢ  ＲｅｌｅａｓｅメッセージとしてＱＣＩ１が伝送されると、Ｎｏｒｍａｌ  ＰＳサービスに切り替えるように構成されたことを特徴とする、請求項１または２に記載の小型セルの流動的接続制御ＦＡＰデバイスの駆動方法。
【請求項４】
前記ＦＡＰデバイスの駆動方法は、
ＦＡＰデバイスのセルでサービス中の周波数帯域に対して他の帯域としてＬＴＥのサービスが供給された場合、該当ＬＴＥのサービス中の周波数にリリースする端末をリダイレクションし、
ＦＡＰデバイスのセルでサービス中の周波数帯域に対して他の帯域として、ＲＡＴ（Ｒａｄｉｏ  Ａｃｃｅｓｓ  Ｔｅｃｈｎｏｌｏｇｙ）サービスが供給される場合には、該当ＲＡＴのサービス中の周波数にリダイレクションし、
このときのリダイレクション処理は、端末リリース時に端末に伝送されるＲＲＣ  ｃｏｎｎｅｃｔｉｏｎ  ｒｅｌｅａｓｅメッセージにＲｅｄｉｒｅｃｔｅｄ  Ｃａｒｒｉｅｒ  Ｉｎｆｏフィールドを追加して達成されるように構成されたことを特徴とする請求項３に記載の小型セルの流動的接続制御ＦＡＰデバイスの駆動方法。
【発明の詳細な説明】
【技術分野】
【０００１】
本発明は、小型セルのＦＡＰ（ｆｅｍｔｏｃｅｌｌ  ａｃｃｅｓｓ  ｐｏｉｎｔ）に関し、フェムトセルなどの小型セルでユーザ端末（ＵＥ：ｕｓｅｒ  ｅｑｕｉｐｍｅｎｔ）、すなわち端末が利用しようとするサービスの種類によって端末を新規接続する際に発生するシステム負荷を計算した後、これをシステムの最大負荷と比較し、端末の接続制限可否を決定し制御することで、システム負荷率を最大限に利用し、ネットワーク効率性を極大化させる小型セルの可変接続制御ＦＡＰデバイス及びその駆動方法（Ｆｌｅｘｉｂｌｅ  ａｄｍｉｓｓｉｏｎ  ｃｏｎｔｒｏｌ  ＦＡＰ  ｄｅｖｉｃｅ  ｆｏｒ  ａ  ｓｍａｌｌ  ｃｅｌｌ、  ａｎｄ  ｔｈｅ  ｍｅｔｈｏｄ  ｔｈｅｒｅ  ｏｆ）に関する。
【背景技術】
【０００２】
小型セル（ｓｍａｌｌ  ｃｅｌｌ）は、従来の移動通信基地局より小さい地域をカバーする基地局として、マクロ基地局に比べてデータ処理能力が相対的に小さい。このような小型セル（ｓｍａｌｌ  ｃｅｌｌ）のためのＡＰ（ａｃｃｅｓｓ  ｐｏｉｎｔ）は最大使用者数が設定されていて、ＡＰのデータサービス容量超過による誤動作及びこれに伴う通話品質の低下を防止する。しかし、最大使用者数を制限して接続を制限する従来の技術において、接続している使用者数は最大使用者数に到達しているのに、システムの実際のデータサービス容量は最大値に到達しない場合がある。例えば、基地局接続使用者数が最大使用者数に到達しているが、そのうちに少量のデータだけを使用するＶｏＬＴＥ使用者が多数である場合には、システムデータサービス容量に十分な余裕があるにもかかわらず、端末の接続リクエストを受諾することができない場合が発生する。このような非効率性を改善するためには、システム負荷に基づいて最大接続可能使用者数を流動的に調節する方法が必要とされる。
【０００３】
本発明に関する背景技術として、図１に示した特許文献１に係るＩＭＳのようなセキュアコアネットワークと通信するフェムトセルに付着するモバイルユニットを認証するための方法の技術がある。この技術は、インターネットプロトコルマルチメディアサブシステム（ＩＭＳ）ネットワークのようなセキュアコアネットワークと通信するフェムトセルを含む方法に関し、フェムトセルから、及びＩＭＳネットワークの第１セキュアエンティティーで乱数を示す情報を含むグローバルチャレンジを受信する段階と、モバイルユニットによって公知され、フェムトセルによって公知されない第１キーと乱数とに基礎としてモバイルユニットにより計算された認証応答を受信する段階と、第１セキュアエンティティーにおいて、乱数がＩＭＳネットワークによりフェムトセルに提供された適法な乱数であることを決定する段階と、を含んで構成されていることを特徴とする。
【０００４】
本発明に関する他の背景技術として、図２に示した負荷分散基盤適応型ハンドオーバーを用いた第３世代ＬＴＥシステム用移動性管理方法の技術がある。この技術は、現在サービス中のセルの負荷条件を判断する段階と、前記現在サービス中のセルの負荷条件が過負荷条件となる場合、前記現在使用中のセルの隣接セルのそれぞれに対し、前記現在サービス中のセルのハンドオーバーヒステリシス閾値と前記隣接セルの負荷条件により前記隣接セルのそれぞれのハンドオーバーヒステリシス閾値とを算出する段階と、前記隣接セルのそれぞれのハンドオーバーヒステリシス閾値を前記現在サービス中のセルからサービスされるユーザ端末に伝送する段階と、前記ユーザ端末のうち、前記隣接セルのうちの少なくとも１つによる受信信号強度と前記現在サービス中のセルによる受信信号強度との差が、前記少なくとも１つの隣接セルのハンドオーバーヒステリシス閾値よりも大きい条件を満足するユーザ端末が前記現在サービス中のセルにおいて前記隣接セルのうちの少なくとも１つでハンドオーバーを実行する段階と、で構成されている３Ｇ  ＬＴＥシステム用移動性管理方法を特徴とする。
【０００５】
本研究は、韓国放送通信電波振興院の「Ｏｐｅｎ  Ｆｌｏｗ基盤の有無線装備統合制御管理システム開発」の一環として遂行されたものである。
【先行技術文献】
【特許文献】
【０００６】
【特許文献１】国際公開第ＷＯ２００９/０４５３１７Ａ２
【特許文献２】国際公開第ＷＯ２０１/３０２４６２５Ａ１
【特許文献３】国際公開第ＷＯ２０１０/０８２８９５Ａ１
【特許文献４】国際公開第ＷＯ２００８/０２５５０２Ａ１
【特許文献５】国際公開第ＷＯ２０１１/１１６６５９Ａ１
【特許文献６】大韓民国特許公報第１０−１１４１４２６Ｂ１
【特許文献７】大韓民国特許出願公開第１０−２０１１−０１１７２０４Ａ
【非特許文献】
【０００７】
【非特許文献１】３ＧＰＰ  ＴＳ  ３６．４１３  Ｖ１１．５．０，Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （Ｅ−ＵＴＲＡＮ）  Ｓ１  Ａｐｐｌｉｃａｔｉｏｎ  Ｐｒｏｔｏｃｏｌ（Ｓ１ＡＰ）、  Ｒｅｌｅａｓｅ  １１、  ２０１３−０９
【非特許文献２】３ＧＰＰ  ＴＳ  ２３．４０２  Ｖ１２．２．０、  Ａｒｃｈｉｔｅｃｔｕｒｅ  ｅｎｈａｎｃｅｍｅｎｔｓ  ｆｏｒ  ｎｏｎ−３ＧＰＰ  ａｃｃｅｓｓｅｓ、  Ｒｅｌｅａｓｅ  １１、  ２０１３−０９
【非特許文献３】３ＧＰＰ  ＴＳ  ２３．２０３  Ｖ１２．２．０、  Ｐｏｌｉｃｙ  ａｎｄ  ｃｈａｒｇｉｎｇ  ｃｏｎｔｒｏｌ  ａｒｃｈｉｔｅｃｔｕｒｅ、  Ｒｅｌｅａｓｅ  １２、  ２０１３−０９
【非特許文献４】３ＧＰＰ  ＴＳ  ３２．４２５  Ｖ８．３．０、  Ｔｅｌｅｃｏｍｍｕｎｉｃａｔｉｏｎ  ｍａｎａｇｅｍｅｎｔ  Ｐｅｒｆｏｒｍａｎｃｅ  Ｍａｎａｇｅｍｅｎｔ（ＰＭ）  Ｐｅｒｆｏｒｍａｎｃｅ  ｍｅａｓｕｒｅｍｅｎｔｓ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）、  Ｒｅｌｅａｓｅ８、  ２０１０−０６
【非特許文献５】３ＧＰＰ  ＴＳ  ３２．４５０  Ｖ９．３．０、  Ｔｅｌｅｃｏｍｍｕｎｉｃａｔｉｏｎ  ｍａｎａｇｅｍｅｎｔ  Ｋｅｙ  Ｐｅｒｆｏｒｍａｎｃｅ  Ｉｎｄｉｃａｔｏｒｓ（ＫＰＩ）  ｆｏｒ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）  Ｄｅｆｉｎｉｔｉｏｎｓ、  Ｒｅｌｅａｓｅ  ９、  ２０１１−０９
【非特許文献６】ＥＴＳＩ  ＴＳ  １３６  ４１３  Ｖ１１．５．０、  ＬＴＥ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）；  Ｓ１  Ａｐｐｌｉｃａｔｉｏｎ  Ｐｒｏｔｏｃｏｌ（Ｓ１ＡＰ）（３ＧＰＰ  ＴＳ  ３６．４１３  ｖｅｒｓｉｏｎ  １１．５．０  Ｒｅｌｅａｓｅ  １１）、  ２０１３−０９
【発明の概要】
【発明が解決しようとする課題】
【０００８】
本発明は、フェムトセルなどの小型セルにおいてユーザ端末（ＵＥ：ｕｓｅ  ｒｅｑｕｉｐｍｅｎｔ）、すなわち端末が利用しようとするＶｏＬＴＥ（ｖｏｉｃｅ  ｏｖｅｒ  ＬＴＥ）、ＰＳＶＴ（ｐａｃｋｅｔ  ｓｗｉｔｃｈ  ｖｉｄｅｏ  ｔｅｌｅｐｈｏｎｙ）、ＰＳ（ｐａｃｋｅｔ  ｓｅｒｖｉｃｅ）サービスの種類によって区分して流動的に端末の接続を制御する小型セルの流動的接続制御ＦＡＰデバイス及びその駆動方法の提供を解決しようとする課題とする。
【０００９】
これにより、本発明は、ＥＰＳ  ｂｅａｒｅｒごとに割り当てられているＱＣＩ値を用いて端末のサービス種類を区分し、各端末が新規接続あるいはサービス種類転換を実行する度にセル内端末が発生する全体負荷に基づいて新規端末及びサービスの接続受諾可否を制御する小型セルの流動的接続制御ＦＡＰデバイス及びその駆動方法の提供を解決しようとすることを課題とする。
【００１０】
また、本発明は、ＦＡＰデバイスが最大負荷のとき、各サービス種類別の優先順位を考慮して接続受諾及び接続中止を実行することで、サービス連続性を保証する小型セルの流動的接続制御ＦＡＰデバイス及びその駆動方法の提供を解決しようとすることを課題とする。
【課題を解決するための手段】
【００１１】
前記の課題を解決するために、本発明は、ＬＴＥ  Ｌｉｎｋを備え、ＶｏＬＴＥ（ｖｏｉｃｅ  ｏｖｅｒ  ＬＴＥ）、ＰＳＶＴ（ｐａｃｋｅｔ  ｓｗｉｔｃｈ  ｖｉｄｅｏ  ｔｅｌｅｐｈｏｎｙ）、Ｎｏｒｍａｌ  ＰＳ（ｐａｃｋｅｔ  ｓｅｒｖｉｃｅ）サービスを、小型セルに接続された端末に提供するＦＡＰ（ｆｅｍｔｏｃｅｌｌ  ａｃｃｅｓｓ  ｐｏｉｎｔ）デバイスであって、コントローラと、前記コントローラ１０８に接続されたユーザ端末インターフェース（ＵＥ  ｉｎｔｅｒｆａｃｅ）と、ＬＴＥ  Ｌｉｎｋを介してＭＭＥ（Ｍｏｂｉｌｅ  Ｍｏｂｉｌｉｔｙ  Ｅｎｔｉｔｙ）にＬＴＥ  ＦＡＰを接続するアップリンクインターフェース（ＵＬ  ｉｎｔｅｒｆａｃｅ）と、ＦＡＰサービスのためのＦＡＰアクセスユニットとを備え、さらに前記コントローラ１０８には、サービスのセットアップ、変更、リリースのためのＥＲＡＢ（Ｅ−ＵＴＲＡＮ  Ｒａｄｉｏ  Ａｃｃｅｓｓ  Ｂｅａｒｅｒ）のＳ１インターフェースアプリケーションプロトコルメッセージを保存するＳ１ＡＰメッセージバッファと、ＬＴＥ  ＦＡＰのシステム負荷関連情報を保存するシステム負荷データメモリと、前記ＬＴＥ  ＦＡＰがサービスしている端末の情報をＶｏＬＴＥ、ＰＳＶＴ、Ｎｏｒｍａｌ  ＰＳごとに保存し、Ｎｏｒｍａｌ  ＰＳメモリ、ＰＳＶＴメモリ、及びＶｏＬＴＥメモリを含む端末サービスタイプメモリとを備え、端末が利用しようとするサービスの種類によって端末を新規接続する際またはサービスタイプを変更する際に、システム負荷を計算した後、計算したシステム負荷をシステムの最大負荷と比較することで、端末の接続を決定し制御するように構成されたことを特徴とする小型セルの流動的接続制御ＦＡＰデバイスとその駆動方法を課題の解決手段として提供する。
【発明の効果】
【００１２】
本発明の小型セルの流動的接続制御ＦＡＰデバイス及びその駆動方法によれば、端末が利用しようとするＶｏＬＴＥ（ｖｏｉｃｅ  ｏｖｅｒ  ＬＴＥ）、ＰＳＶＴ（ｐａｃｋｅｔ  ｓｗｉｔｃｈ  ｖｉｄｅｏ  ｔｅｌｅｐｈｏｎｙ）、ＰＳ（ｐａｃｋｅｔ  ｓｅｒｖｉｃｅ）サービスの種類によって流動的に端末の接続を制御する技術的効果を提供する。
【００１３】
また、本発明は、ＥＰＳ  ｂｅａｒｅｒごとに割り当てられているＱＣＩ値を用いて端末のサービス種類を区分し、各端末が新規接続あるいはサービス種類転換を実行する度に、セル内端末が発生する全体負荷に基づいて新規端末及びサービスの接続受諾可否を制御することで、ＦＡＰデバイスのサービス効率を増大させる作用効果を提供することができる。
【００１４】
また、本発明は、ＦＡＰデバイスの最大負荷時、各サービス種類別に優先順位を考慮して接続受諾及び接続中止を実行することで、サービス連続性を保証するという技術的効果を提供することができる。
【図面の簡単な説明】
【００１５】
【図１】本発明に関する背景技術として、ＩＭＳのようなセキュアコアネットワークと通信するフェムトセルに付着されたモバイルユニットを認証するための方法技術の構成である。
【図２】本発明に関する他の背景技術として、負荷分散基盤適応型ハンドオーバーを用いた第３世代ＬＴＥシステム用の移動性管理方法技術の構成である。
【図３】小型セルのＦＡＰ（ｆｅｍｔｏｃｅｌｌ  ａｃｃｅｓｓ  ｐｏｉｎｔ）構成の一例である。
【図４】３ＧＰＰのＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）とＦＡＰで構成される小型セル構成である。
【図５】本発明のＦＡＰで構成される小型セルから提供されたサービスの種類である。
【図６】本発明の小型セルの流動的接続制御のためのＦＡＰデバイスの構成である。
【図７】本発明のＬＴＥ  ＦＡＰに端末の新規接続ないしサービス切替時に誘発されるシステム負荷を計算するメカニズムの一例である。
【図８】本発明のＬＴＥ  ＦＡＰに端末の新規接続ないしサービス切替時に誘発されるシステム負荷を計算するメカニズムの他の一例である。
【図９】本発明の小型セルの流動的接続制御のためのＦＡＰデバイスとしてＬＴＥ  ＦＡＰの駆動方法である。
【図１０】ＬＴＥ  ＦＡＰに対する新規端末の接続ないしＨａｎｄ  ｉｎによるリクエストメッセージと新規端末に対するサービス種類を抽出するための情報である。
【図１１】３ＧＰＰ  ＴＳ  ２３．２０３  Ｖ１２．２．０（２０１３−０９）に規定されたＱＣＩ（ＱｏＳ  Ｃｌａｓｓ  Ｉｄｅｎｔｉｆｉｅｒ）の内容である。
【図１２】本発明において新規端末に対するサービス種類を抽出するためのＱＣＩ値の例である。
【図１３】本発明のＬＴＥ  ＦＡＰに接続され、サービス提供を受けている端末のサービス種類の切替処理関係である。
【図１４】本発明のＬＴＥ  ＦＡＰに現在接続され、サービス提供を受けている端末のサービス種類の切替規則である。
【発明を実施するための形態】
【００１６】
以下の内容は、単に本発明の原理を例示するものである。これにより当業者は、たとえ本明細書に明確に説明され、あるいは、図示されていなくても、本発明の原理を実現して本発明の概念と範囲に含まれた多様な装置を発明することができる。本明細書に列挙したすべての条件付き用語及び実施例は、原則的に本発明の概念を理解させるための目的として明確に意図され、このように特別に列挙した実施例及び状態に制限的でないものとして理解されるべきである。また、本発明の原理、観点及び実施例だけでなく、特定の実施例を列挙する、すべての詳細な説明はこのような事項の構造的及び機能的均等物を含むように意図されるものとして理解すべきである。
【００１７】
上記の目的、特徴、及び長所は、添付された図面による次の詳細な説明を介してさらに明確になるであろう。本発明の説明において、かかる公知技術に対する詳細な説明が本発明の要旨を不明確とされると判断される場合、その詳細な説明を省略する。以下、添付の図面を参照しながら本発明による好適な実施例を詳しく説明する。
【００１８】
図３は、小型セルのＦＡＰ（ｆｅｍｔｏｃｅｌｌ  ａｃｃｅｓｓ  ｐｏｉｎｔ）構成の一例であって、３ＧＰＰのＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）とＦＡＰの構成を示す。
【００１９】
ユーザ端末（ＵＥ：Ｕｓｅｒ  Ｅｑｕｉｐｍｅｎｔｓ）が位置するモバイルステーション（Ｍｏｂｉｌｅ  Ｓｔａｔｉｏｎ）は、アクセスネットワーク（Ａｃｃｅｓｓ  Ｎｅｔｗｏｒｋ）を介してコアネットワーク（Ｃｏｒｅ  Ｎｅｔｗｏｒｋ）に接続される。アクセスネットワークは、ｅＮｏｄｅ  Ｂと該ｅＮｏｄｅ  ＢのネットワークコントローラであるＲＮＣ（Ｒａｄｉｏ  Ｎｅｔｗｏｒｋ  Ｃｏｎｔｒｏｌｌｅｒ）で構成される無線ネットワークサブシステム（ＲＮＳ：Ｒａｄｉｏ  Ｎｅｔｗｏｒｋ  Ｓｕｂｓｙｓｔｅｍ）で構成されるＬｉｎｋと、ＨｅＮＳ（Ｈｏｍｅ  ｅＮｏｄｅ  Ｓｕｂｓｙｓｔｅｍ）であるＬＴＥ  Ｌｉｎｋを備える。
【００２０】
図面のＨｅＮＳは、ユーザ端末が無線接続されるＬＴＥ  ＦＡＰとセキュリティゲートウェイ（ＳｅＧＷ：Ｓｅｃｕｒｉｔｙ  ＧａｔｅＷａｙ）及びコアネットワークに多数のＬＴＥ  ＦＡＰが接続できるようにためのＨｅＮＢゲートウェイ（ＨｅＮＢＧＷ）を備える。セキュリティゲートウェイには、ＨｅＮＢ管理システム（ＨｅＭＳ：ＨｅＮＢ  Ｍａｎａｇｅｍｅｎｔ  Ｓｙｓｔｅｍ）が提供され、ＬＴＥ  ＦＡＰを対象とする運用及び管理（ＯＡＭ）が行われる。コアネットワークには、ＭＭＥ（Ｍｏｂｉｌｅ  Ｍｏｂｉｌｉｔｙ  Ｅｎｔｉｔｙ）が備えられてインターネットなどのパッケージサービスが提供される。
【００２１】
図４は、図３の３ＧＰＰのＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）とＦＡＰとで構成される小型セル構成を簡略に示す。ユーザ端末は、無線ネットワークサブシステムとＦＡＰとで構成されるＨｅＮＳのＬＴＥ  Ｌｉｎｋの二重経路を介してＭＭＥに接続されることで、ユーザ端末ＵＥに対するサービスが提供される。
【００２２】
図５は、本発明のＦＡＰで構成される小型セルから提供されるサービスの種類を示す。３ＧＰＰの小型セルは、ＶｏＬＴＥ（ｖｏｉｃｅ  ｏｖｅｒ  ＬＴＥ）、ＰＳＶＴ（ｐａｃｋｅｔ  ｓｗｉｔｃｈ  ｖｉｄｅｏ  ｔｅｌｅｐｈｏｎｙ）、Ｎｏｒｍａｌ  ＰＳ（ｐａｃｋｅｔ  ｓｅｒｖｉｃｅ）サービスを小型セルに接続された端末に提供し、ＶｏＬＴＥサービスは、リアルタイムプロトコル（ＲＴＰ：Ｒｅａｌ  Ｔｉｍｅ  Ｐｒｏｔｏｃｏｌ）音声呼、ＰＳＶＴはリアルタイムプロトコル映像呼に提供される。さらに、Ｎｏｒｍａｌ  ＰＳはＴＣＰ−ＨＴＴＰまたはＴＣＰ−ＦＴＰのプロトコルとして、小型セルに接続された端末に提供される。よって、小型セルに接続された端末に提供されるデータ負荷は、ＶｏＬＴＥ、ＰＳＶＴ、Ｎｏｒｍａｌ  ＰＳサービスの順序に増加する。したがって、多数のＶｏＬＴＥないしＰＳＶＴ使用者が基地局に接続した状況では、システムデータサービス容量に余裕があるにもかかわらず、端末の接続リクエストを受諾することができない状況が発生する。
【００２３】
図６は、本発明の小型セルの流動的接続制御のためのＦＡＰデバイスの構成を示す。本発明のＦＡＰデバイスは、ユーザ端末が利用しようとするＶｏＬＴＥ、ＰＳＶＴ、Ｎｏｒｍａｌ  ＰＳサービスの種類によって端末の新規接続ないしサービスの切替時に誘発されるシステム負荷を計算した後、これをシステムの最大負荷と比較することで、端末の接続制限可否を決定し制御する。このために本発明のＦＡＰデバイスとして、ＬＴＥ  ＦＡＰ１００は、コントローラ１０８と、前記コントローラ１０８に接続されたユーザ端末インターフェース（ＵＥ  ｉｎｔｅｒｆａｃｅ）１０２と、ＬＴＥ  Ｌｉｎｋを介してＭＭＥにＬＴＥ  ＦＡＰ１００を接続するアップリンクインターフェース（ＵＬ  ｉｎｔｅｒｆａｃｅ）１０６と、ＦＡＰサービスのためのＦＡＰアクセスユニット１０４とを備える。またコントローラ１０８には、サービスのセットアップ、変更、リリースのためのＥ−ＲＡＢ（Ｅ−ＵＴＲＡＮ  Ｒａｄｉｏ  Ａｃｃｅｓｓ  Ｂｅａｒｅｒ）のＳ１インターフェースアプリケーションプロトコルメッセージを保存するＳ１ＡＰメッセージバッファ１１０と、ＬＴＥ  ＦＡＰ１００のシステム負荷関連情報を保存するシステム負荷データメモリ１１２と、ＬＴＥ  ＦＡＰ１００がサービスしている端末の情報をＶｏＬＴＥ、ＰＳＶＴ、Ｎｏｒｍａｌ  ＰＳごとに保存する端末サービスタイプメモリ１１４とが備えられる。端末サービスタイプメモリ１１４には、内にＮｏｒｍａｌ  ＰＳメモリ１１４ａ、ＰＳＶＴメモリ１１４ｂ、ＶｏＬＴＥメモリ１１４ｃとが備えられる。
【００２４】
本発明の端末サービスタイプメモリ１１４には、Ｎｏｒｍａｌ  ＰＳ、ＰＳＶＴ、ＶｏＬＴＥのサービスごとの端末情報として、現在サービス中の端末数情報を含む端末情報がコントローラ１０８によりＳ１ＡＰメッセージバッファ１１０の情報を参照して保存される。
【００２５】
図７は、本発明のＦＡＰデバイスとして、ＬＴＥ  ＦＡＰ１００の構成に対して端末の新規接続ないしサービスの切替時に発生するシステム負荷を計算するメカニズムの一例を示す。図６に説明したように、本発明の端末サービスタイプメモリ１１４には、ＶｏＬＴＥ、ＰＳＶＴ、Ｎｏｒｍａｌ  ＰＳのサービスごとの端末情報として現在サービス中の端末数情報Ｎ１、Ｎ２、Ｎ３がコントローラ１０８によって端末の新規接続ないしサービスの切替時に更新されて保存される。また、本発明のシステム負荷データメモリ１１２には、ＬＴＥ  ＦＡＰ１００のシステム負荷関連情報として、ＶｏＬＴＥ、ＰＳＶＴ、Ｎｏｒｍａｌ  ＰＳのサービスごとに個別端末によるシステムの負荷量によって決定される加重値（ｗｅｉｇｈｔ）Ｗ１、Ｗ２、Ｗ３及びシステムの全体負荷量データＬｍａｘが保存される。
【００２６】
前記の構成に対して端末の新規接続ないしサービス切替時のコントローラ１０８は、現在サービス中の端末数情報Ｎ１、Ｎ２、Ｎ３のそれぞれをサービスごとの加重値（ｗｅｉｇｈｔ）Ｗ１、Ｗ２、Ｗ３のそれぞれに掛けて現在のシステム負荷量を算出し、算出した現在のシステム負荷量とシステムの全体負荷量データＬｍａｘとを比較することで、余分の負荷量を判断することができる。
【００２７】
前記のシステム負荷を計算する例として、本発明のＦＡＰデバイスとしてＬＴＥ  ＦＡＰ１００がＶｏＬＴＥのみをサービスする際の１００個のユーザ端末、ＰＳＶＴのみをサービスする際の５０個のユーザ端末、Ｎｏｒｍａｌ  ＰＳのみをサービスする際の１０個のユーザ端末をサービスすることができる負荷量を有した場合、最も負荷量が多いＮｏｒｍａｌ  ＰＳサービスに対する加重値は、ＶｏＬＴＥサービスの端末１個当たり加重値Ｗ１＝０．１、ＰＳＶＴサービスの端末１個当たり加重値Ｗ２＝０．５、そして、Ｎｏｒｍａｌ  ＰＳサービスの端末１個当たり加重値Ｗ３＝１．０に換算され、ＶｏＬＴＥ、ＰＳＶＴ、Ｎｏｒｍａｌ  ＰＳのサービスごとにユーザ端末数と加重値とを掛けると、それぞれ同一値でシステムの全体負荷量データＬｍａｘ＝１０として換算される。
【００２８】
たとえ、現在サービス中の端末数がＶｏＬＴＥ、ＰＳＶＴ、Ｎｏｒｍａｌ  ＰＳのサービスごとにＮ１＝１０、Ｎ２＝５、Ｎ３＝２であれば、現在のシステム負荷量は、Ｎ１×Ｗ１＋Ｎ２×Ｗ２＋Ｎ３×Ｗ３＝１＋２．５＋２＝５．５に換算され、全体負荷量データＬｍａｘ＝１０に対して４．５の余分負荷量が計算される。したがって現在サービス中のＬＴＥ  ＦＡＰ１００は、追加にＶｏＬＴＥだけをサービスする際に４５個のユーザ端末、ＰＳＶＴだけをサービスする際に９個のユーザ端末、Ｎｏｒｍａｌ  ＰＳだけをサービスする際に４．５個（定数で４個）のユーザ端末、または、４．５の余分負荷量以内でＶｏＬＴＥ、ＰＳＶＴ、Ｎｏｒｍａｌ  ＰＳのサービスが可能である。
【００２９】
図８は、本発明のＦＡＰデバイスとして、ＬＴＥ  ＦＡＰ１００の構成に対して端末の新規接続ないしサービスの切替時に発生するシステム負荷を計算するメカニズムのさらに他の一例を示す。図８の例は、端末の新規接続ないしサービスの切替時に発生するシステム負荷変動が端末数及びＶｏＬＴＥ、ＰＳＶＴ、Ｎｏｒｍａｌ  ＰＳのサービスごとに非線形特性を示すＬＴＥ  ＦＡＰ１００に適用する。このような非線形特性を示すＬＴＥ  ＦＡＰ１００は端末の新規接続ないしサービスの切替時に付随的なメッセージングやリポーティング機能が割り当てられて追加プロセスの負荷が備えられたＬＴＥ  ＦＡＰ１００に適用することができる。
【００３０】
図６に説明したように、本発明の端末サービスタイプメモリ１１４には、ＶｏＬＴＥ、ＰＳＶＴ、Ｎｏｒｍａｌ  ＰＳのサービスごとの端末情報として、現在サービス中の端末数情報Ｎ１、Ｎ２、Ｎ３がコントローラ１０８によって端末の新規接続ないしサービスの切替時に更新されて保存される。このとき、本発明のシステム負荷データメモリ１１２には、ＬＴＥ  ＦＡＰ１００のシステム負荷関連情報として、ＶｏＬＴＥ、ＰＳＶＴ、Ｎｏｒｍａｌ  ＰＳのサービスごとにサービス端末数によって決定されるシステムの負荷量の百分率Ｐ１、Ｐ２、Ｐ３が保存される。前記百分率Ｐ１、Ｐ２、Ｐ３は、ＶｏＬＴＥ、ＰＳＶＴ、Ｎｏｒｍａｌ  ＰＳのサービスとサービス端末数によって事前に計算されるか、または計測された値としてルックアップテーブル（ＬＵＴ：ｌｏｏｋ  ｕｐ  ｔａｂｌｅ）を構成してシステム負荷データメモリ１１２に保存され、コントローラ１０８によって参照される。
【００３１】
上記の構成に対して端末の新規接続ないしサービスの切替時のコントローラ１０８は、現在サービス中のＶｏＬＴＥ、ＰＳＶＴ、Ｎｏｒｍａｌ  ＰＳのサービスごとの端末数情報Ｎ１、Ｎ２、Ｎ３のそれぞれに対してシステム負荷データメモリ１１２に保存されたシステムの負荷量の百分率Ｐ１、Ｐ２、Ｐ３をそれぞれ読み出して合算することで、現在システム負荷量を把握し、システムの全体負荷量を１００％として比較することで余分の負荷量を判断することができる。
【００３２】
図９は、本発明の小型セルの流動的接続制御のためのＦＡＰデバイスとして、ＬＴＥ  ＦＡＰ１００の駆動方法を示す。以下、前記ＬＴＥ  ＦＡＰ１００の駆動方法を段階別に説明する。
【００３３】
ＬＴＥ  ＦＡＰ１００のサービスが開始する段階（Ｓ１０００）；に続き、
【００３４】
ＬＴＥ  ＦＡＰ１００のコントローラ１０８が新規端末の接続ないし他のＦＡＰからのＨａｎｄ  ｉｎによる端末の変動があるか否かをモニタする段階（Ｓ１１００）；を実行し、変動がない場合には引き続きモニタする段階（Ｓ１１００）；を実行する。
【００３５】
端末の変動があるか否かをモニタする段階（Ｓ１１００）において変動があった場合、新規端末に対する、ＶｏＬＴＥ、ＰＳＶＴ、Ｎｏｒｍａｌ  ＰＳのサービス種類を抽出して区分する段階（Ｓ１２００）；を実行し、
【００３６】
次に、ＬＴＥ  ＦＡＰ１００のコントローラ１０８は抽出されたサービス種類をセル内へ提供する場合システムの負荷量を計算する段階（Ｓ１３００）；を実行し、
【００３７】
前記段階（Ｓ１３００）で計算されたシステムの負荷量と全体システムの負荷量とを比較して全体システムの負荷量を超えるか否かを判断する段階（Ｓ１４００）；を実行する。
【００３８】
前記段階（Ｓ１４００）で計算されたシステムの負荷量が全体システムの負荷量を超えないと判断された場合、コントローラ１０８はＬＴＥ  ＦＡＰ１００に新規端末を接続してサービスを提供（Ｓ２０００）；し、端末の変動があるか否かをモニタする段階（Ｓ１１００）；を実行する。
【００３９】
前記段階（Ｓ１４００）で計算されたシステムの負荷量が全体システムの負荷量を超えるものと判断された場合、コントローラ１０８は現在ＬＴＥ  ＦＡＰ１００に接続され、ＶｏＬＴＥ、ＰＳＶＴ、Ｎｏｒｍａｌ  ＰＳのサービス提供を受けている他の端末のうち、新規端末のサービス種類よりも低い優先順位のサービス提供を受けている他の端末を検索（Ｓ１６００）；し、
【００４０】
−前記段階（Ｓ１６００）で新規端末のサービス種類よりも低い優先順位のサービス提供を受けている他の端末がない場合、新規端末に対する接続及びサービスを遮断（ｒｅｌｅａｓｅ）し（Ｓ１９００）；端末の変動があるか否かをモニタする段階（Ｓ１１００）；を実行する。
【００４１】
−前記段階（Ｓ１６００）で新規端末のサービス種類よりも低い優先順位のサービス提供を受けている他の端末がある場合、前記低い優先順位のサービス提供を受けている他の端末に対する接続及びサービスを遮断（ｒｅｌｅａｓｅ）し（Ｓ１７００）；
【００４２】
−コントローラ１０８は、ＬＴＥ  ＦＡＰ１００に新規端末を接続してサービスを提供（Ｓ１８００）；し、端末の変動があるか否かをモニタする段階（Ｓ１１００）；を実行する。
【００４３】
前記低い優先順位のサービス提供を受けている他の端末に対する接続及びサービスを遮断（ｒｅｌｅａｓｅ）する段階（Ｓ１７００）は、他の端末に対する接続及びサービスが終了した後に実行し、続いてコントローラ１０８はＬＴＥ  ＦＡＰ１００に新規端末を接続してサービスを提供（Ｓ１８００）；する。
【００４４】
前記コントローラ１０８が現在ＬＴＥ  ＦＡＰ１００に接続されて、ＶｏＬＴＥ、ＰＳＶＴ、Ｎｏｒｍａｌ  ＰＳのサービス提供を受けている他の端末のうち、新規端末のサービス種類よりも低い優先順位のサービス提供を受けている他の端末を検索（Ｓ１６００）；する段階で、サービスの優先順位は高い順に、ＶｏＬＴＥ、ＰＳＶＴ、Ｎｏｒｍａｌ  ＰＳの手順で設定して判断する。
【００４５】
図１０は、ＬＴＥ  ＦＡＰ１００に対する新規端末の接続ないしＨａｎｄ  ｉｎによるリクエストメッセージと新規端末に対するサービス種類を抽出するための情報を示す。前記リクエストメッセージは、新規端末の接続ないし他のＦＡＰからのＨａｎｄ  ｉｎごとにＥ−ＲＡＢ（Ｅ−ＵＴＲＡＮ  Ｒａｄｉｏ  Ａｃｃｅｓｓ  Ｂｅａｒｅｒ）のＳ１インターフェースアプリケーションプロトコルメッセージとして、Ｓ１ＡＰメッセージでＭＭＥからＬＴＥ  ＦＡＰ１００に伝送される。前記Ｓ１ＡＰメッセージは、ＬＴＥ  ＦＡＰ１００のコントローラ１０８によりＳ１ＡＰメッセージバッファ１１０に保存され、前記保存されたＳ１ＡＰメッセージから新規端末の接続ないしＨａｎｄ  ｉｎによるサービス種類をメッセージに含まれたＱＣＩ（ＱｏＳ  Ｃｌａｓｓ  Ｉｄｅｎｔｉｆｉｅｒ）として判断することができる。
【００４６】
図１１は、３ＧＰＰ  ＴＳ  ２３．２０３  Ｖ１２．２．０（２０１３−０９）に規定されたＱＣＩの具体的な内容を示す。ＱＣＩはＱＣＩ１〜ＱＣＩ９まで定義されていて、それぞれの優先順位とサービスを例示する。本発明では、前記のＱＣＩ値を用いて新規端末の接続ないしＨａｎｄ  ｉｎによるリクエストメッセージから新規端末に対するサービス種類を抽出する。
【００４７】
図１２は、本発明において新規端末の接続ないしＨａｎｄ  ｉｎによるリクエストメッセージから新規端末に対するサービス種類を抽出するためのＱＣＩ値の例を示す。
【００４８】
本発明のＬＴＥ  ＦＡＰ１００に対する新規端末の接続ないしＨａｎｄ  ｉｎによるリクエストメッセージは、新規端末の接続ないし他のＦＡＰからのＨａｎｄ  ｉｎごとにＥＲＡＢ（Ｅ−ＵＴＲＡＮ  Ｒａｄｉｏ  Ａｃｃｅｓｓ  Ｂｅａｒｅｒ）のＳ１インターフェースアプリケーションプロトコルメッセージとしてＳ１ＡＰメッセージがＭＭＥから伝送されるので、前記Ｅ−ＲＡＢのＱＣＩがＱＣＩ１であれば、ＲＴＰ音声呼のＶｏＬＴＥサービス、ＱＣＩ１の音声とＱＣＩ２のビデオとであれば、ＲＴＰ映像呼のＰＳＶＴサービス、ＱＣＩ６であればＮｏｒｍａｌ  ＰＳサービスであると把握することができる。
【００４９】
図１３は、本発明のＬＴＥ  ＦＡＰ１００に対して現在接続されてサービスが提供される端末のサービス種類の切替処理を示す。前記のサービス種類の切替処理のために本発明のＬＴＥ  ＦＡＰ１００のコントローラ１０８は接続された端末がサービスを受けている間にＥ−ＲＡＢ  ＳｅｔｕｐとＥ−ＲＡＢ  Ｒｅｌｅａｓｅ  ｍｅｓｓａｇｅを持続的に監視する。
【００５０】
現在接続された端末がＮｏｒｍａｌ  ＰＳのサービス提供を受けている場合、ＥＲＡＢ  ＳｅｔｕｐメッセージとしてＱＣＩ１が伝送されると現在接続された端末をＶｏＬＴＥに切り替え、ＥＲＡＢ  ＳｅｔｕｐメッセージとしてＱＣＩ１とＱＣＩ２が伝送されるとＰＳＶＴサービスに切り替える。現在接続された端末がＰＳＶＴサービスの提供を受けている場合、Ｅ−ＲＡＢ  ＲｅｌｅａｓｅメッセージとしてＱＣＩ２が伝送されると現在接続された端末をＶｏＬＴＥに切り替え、Ｅ−ＲＡＢ  ＲｅｌｅａｓｅメッセージとしてＱＣＩ１とＱＣＩ２が伝送されるとＮｏｒｍａｌ  ＰＳサービスに切り替える。もし現在接続された端末がＶｏＬＴＥサービスの提供を受けている場合、Ｅ−ＲＡＢ  ＳｅｔｕｐメッセージとしてＱＣＩ２が伝送されると現在接続された端末をＰＳＶＴに切り替え、Ｅ−ＲＡＢ  ＲｅｌｅａｓｅメッセージとしてＱＣＩ１が伝送されるとＮｏｒｍａｌ  ＰＳサービスに切り替える。
【００５１】
図１４は、本発明のＬＴＥ  ＦＡＰ１００に対して現在接続されてサービスが提供される端末のサービス種類の切替規則を示す。本発明における端末のサービス種類の切替規則はシステム負荷率が減少する方向に対してはいつもサービス切替を許容し、ＶｏＬＴＥ、ＰＳＶＴサービスからＮｏｒｍａｌ  ＰＳに切り替える場合、音声あるいは映像呼の終了時点にＲＲＣ  ｃｏｎｎｅｃｔｉｏｎ  ｒｅｌｅａｓｅを実行した後、Ｎｏｒｍａｌ  ＰＳ開始時点に再びＬＴＥ  ＦＡＰ１００に接続するようにする。一方、ＶｏＬＴＥからＰＳＶＴに切り替える場合、通話が連続的に接続しなければならないので、リリースを実行することができない。したがって、サービス種類の切替時の予想負荷を計算して予想負荷が最大負荷より大きい場合にＮｏｒｍａｌ  ＰＳ端末を１つリリースした後、切り換えを許容することになって、Ｎｏｒｍａｌ  ＰＳ端末がない場合には切り換えを許可せず、端末をリリースさせる。同時に、移動通信事業者がＳｍａｌｌ  Ｃｅｌｌでサービス中の周波数帯域以外の他のＬＴＥサービス帯域を有している場合、該当周波数でリリースする端末をリダイレクション処理することができる。あるいは移動通信事業者が３Ｇなど他のＲＡＴ（Ｒａｄｉｏ  Ａｃｃｅｓｓ  Ｔｅｃｈｎｏｌｏｇｙ）のサービスを行っている場合、該当ＲＡＴのサービス中の周波数でリリースする端末をリダイレクションすることができる。リダイレクション処理は、端末リリース時に端末に伝送されるＲＲＣ  ｃｏｎｎｅｃｔｉｏｎ  ｒｅｌｅａｓｅメッセージにＲｅｄｉｒｅｃｔｅｄ  Ｃａｒｒｉｅｒ  Ｉｎｆｏフィールドを追加することで、実現可能である。
【００５２】
以上説明した本発明の小型セルの流動的接続制御ＦＡＰデバイス及びその駆動方法によれば、フェムトセルなどの小型セルでユーザ端末、すなわち端末が利用しようとするＶｏＬＴＥ、ＰＳＶＴ、ＰＳサービスの種類によって区分して流動的に端末の接続を制御し、各端末が新規接続あるいはサービス種類の切り替えを実行するたびにセル内端末が、発生する全体負荷に基づいて新規端末及びサービスの接続受諾可否を制御し、ＦＡＰデバイスが最大負荷時、サービス種類ごとの優先順位を考慮して接続受諾及び接続中止を実行することで、サービス連続性を保証することができる特徴を有する。
【００５３】
本発明の小型セルの流動的接続制御ＦＡＰデバイス及びその駆動方法は、限定された実施例と図面により説明されたが、本発明は、これに限定されず、本発明が属する技術分野にて通常の知識を有する者によって本発明の技術思想と次に記載される特許請求の範囲の均等範囲内において多様な修正及び変形が可能である。
【図１】
0005911522.tif 000002
【図２】
0005911522.tif 000003
【図３】
0005911522.tif 000004
【図４】
0005911522.tif 000005
【図５】
0005911522.tif 000006
【図６】
0005911522.tif 000007
【図７】
0005911522.tif 000008
【図８】
0005911522.tif 000009
【図９】
0005911522.tif 000010
【図１０】
0005911522.tif 000011
【図１１】
0005911522.tif 000012
【図１２】
0005911522.tif 000013
【図１３】
0005911522.tif 000014
【図１４】
0005911522.tif 000015